(57)【要約】【課題】与薬インシデント発生時に、数ある注射指示情報の中から該当注射指示情報を特定し、インシデントレポートを簡便に作成する。【解決手段】医師看護師用端末５のデータ変換部５４は、注射指示情報ファイル２に登録されている注射指示情報に含まれる注射指示情報キーをバーコードに変換し、バーコードラベル印刷部８を用いてバーコードラベルを印刷する。移動端末１５の注射指示取得部２０は、バーコード読取部１８を用いてバーコードを読み取って注射指示情報キーを取得し、取得した注射指示情報キーに基づいて注射指示情報ファイル２から注射指示情報を取得する。移動端末１５のインシデントレポート作成部１９は、取得した注射指示情報に対応する与薬インシデントに関する情報を受け付けてインシデント情報を作成する。病院情報システム処理装置１のインシデント情報登録部１３は、作成されたインシデント情報をインシデント情報ファイル３に登録する。【選択図】図１
2014197316.tif 000002
【特許請求の範囲】
【請求項１】
注射指示識別情報を含む注射指示情報が登録される注射指示情報ファイルと、
注射時に発生した与薬インシデントを示すインシデント情報が登録されるインシデント情報ファイルと、
前記注射指示情報ファイルに登録されている注射指示情報に含まれる注射指示識別情報をバーコード形式に変換してバーコードを表示するバーコードラベルを印刷するバーコードラベル印刷手段と、
前記バーコードラベルから前記バーコードを読み取って前記注射指示識別情報を取得し、当該取得した注射指示識別情報に基づいて前記注射指示情報ファイルから注射指示情報を取得する注射指示情報取得手段と、
前記注射指示情報取得手段によって取得された注射指示情報に対応する与薬インシデントに関する情報を受け付けてインシデント情報を作成するインシデント情報作成手段と、
前記インシデント情報作成手段によって作成されたインシデント情報を前記インシデント情報ファイルに登録するインシデント情報登録手段と、
を備えることを特徴とする与薬インシデントのヒヤリハット登録支援システム。
【請求項２】
前記注射指示情報取得手段によって取得された注射指示情報を画面に表示する注射指示情報表示手段を備えることを特徴とする請求項１に記載の与薬インシデントのヒヤリハット登録支援システム。
【請求項３】
前記インシデント情報作成手段が、前記注射指示情報に紐付けられたインシデント情報を作成することを特徴とする請求項１または２に記載の与薬インシデントのヒヤリハット登録支援システム。
【発明の詳細な説明】
【技術分野】
【０００１】
本発明は、注射時にインシデントが発生した場合に、簡潔にインシデントの発生源入力を可能とする与薬インシデントのヒヤリハット登録支援システムに関する。
【背景技術】
【０００２】
近年、医療事故に関する報道が多くなされるようになり、医療事故の防止のための取り組みに関心が寄せられている。医療現場においては、インシデントレポートなどの報告をもとに、医療事故を防止するため医療事故に関する様々な取り組みが行われている。「インシデント」とは、事故になりかけた事例を指し、メディアや医療現場では「ヒヤリハット」と呼ばれることも多い。
財団法人・日本医療機能評価機構のまとめによると、調査対象となった全国の国立病院や大学病院など約２５０の医療施設で、ヒヤリハット事例が、１年間に約１８万件報告されている(日経新聞２００６年８月１０日報道)。その中でも、注射業務は多種多様かつ循環に影響する「与薬」を扱う点で、ヒヤリハットの発生する確率が高い業務である。
【０００３】
これらインシデント防止には、インシデントレポートによる原因追究と対策の検討が必須である。ハインリッヒの法則によれば、「一つの重大な事故の背景には、軽い事故が２９件あり、その背後には３００件のヒヤリハットがある」といわれており、重大な事故へとつながる前に、多くのヒヤリハットの内容を検討し対処していくことが重要である。
特許文献１に記載のインシデントレポート作成システムは、蓄積された過去のインシデント情報から医療行為又はその作業手順の問題点の発見を支援し、作業手順の評価に関するレポートを作成することを可能としている。
【先行技術文献】
【特許文献】
【０００４】
【特許文献１】特開２００８−１６５６８０号公報
【発明の概要】
【発明が解決しようとする課題】
【０００５】
しかしながら、インシデントレポートは医療従事者が通常業務の中で作成しなければならず、特に与薬に関するインシデントは発生件数が多く、時間的な制約から、発生したインシデントに対して網羅的な記載が困難である。また、患者にとっては、医療従事者がインシデントレポート作成にかける時間的な割合の増加に従い、相対的に患者と接する時間が減少するため、患者サービスの低下という不利益を被ることとなる。
特許文献１に記載のインシデントレポート作成システムは、過去の蓄積されたインシデントより将来的な事故発生予測を行いレポートの作成支援を行っているが、インシデントの効率的な収集方法については現場の医療従事者による人的労力に依存している。
【０００６】
本発明の目的は、医師の注射指示に対して、与薬インシデント発生時に、数ある注射指示情報の中から該当注射指示情報を容易に特定し、インシデントレポートを簡便に作成することができる与薬インシデントのヒヤリハット登録支援システムを提供することである。
【課題を解決するための手段】
【０００７】
上記目的を達成するために、本発明の与薬インシデントのヒヤリハット登録支援システムは、
注射指示識別情報を含む注射指示情報が登録される注射指示情報ファイルと、
注射時に発生した与薬インシデントを示すインシデント情報が登録されるインシデント情報ファイルと、
前記注射指示情報ファイルに登録されている注射指示情報に含まれる注射指示識別情報をバーコード形式に変換してバーコードを表示するバーコードラベルを印刷するバーコードラベル印刷手段と、
前記バーコードラベルから前記バーコードを読み取って前記注射指示識別情報を取得し、当該取得した注射指示識別情報に基づいて前記注射指示情報ファイルから注射指示情報を取得する注射指示情報取得手段と、
前記注射指示情報取得手段によって取得された注射指示情報に対応する与薬インシデントに関する情報を受け付けてインシデント情報を作成するインシデント情報作成手段と、
前記インシデント情報作成手段によって作成されたインシデント情報を前記インシデント情報ファイルに登録するインシデント情報登録手段と、
を備えることを特徴とする。
【０００８】
また、本発明の与薬インシデントのヒヤリハット登録支援システムは、
前記注射指示情報取得手段によって取得された注射指示情報を画面に表示する注射指示情報表示手段を備えることを特徴とする。
【０００９】
また、本発明の与薬インシデントのヒヤリハット登録支援システムは、
前記インシデント情報作成手段が、前記注射指示情報に紐付けられたインシデント情報を作成することを特徴とする。
【発明の効果】
【００１０】
本発明によれば、医師の注射指示に対して、与薬インシデント発生時に、数ある注射指示情報の中から該当注射指示情報を容易に特定し、インシデントレポートを簡便に作成することができる。
【図面の簡単な説明】
【００１１】
【図１】本発明の実施形態に係る与薬インシデントのヒヤリハット登録支援システムの構成の一例を示す図である。
【図２】注射指示情報ファイルに格納される注射指示情報の構成の一例を示す図である。
【図３】バーコードラベル印刷部によって印字されるバーコードラベルのデータの構成の一例を示す図である。
【図４】移動端末の表示部に表示されるメニュー画面の表示の一例を示す図である。
【図５】移動端末による注射指示情報表示処理の流れの一例を示すフローチャートである。
【図６】インシデント情報ファイルに格納されるインシデント情報の構成の一例を示す図である。
【図７】移動端末によるインシデントレポート入力処理の流れの一例を示すフローチャートである。
【図８】インシデントサマリー入力画面の一例を示す図である。
【図９】インシデント詳細入力画面の一例を示す図である。
【発明を実施するための形態】
【００１２】
以下、本発明の実施形態に係る与薬インシデントのヒヤリハット登録支援システムについて、図面を参照して具体的に説明する。
【００１３】
図１は、本発明の実施形態に係る与薬インシデントのヒヤリハット登録支援システムの構成の一例を示す。
本与薬インシデントのヒヤリハット登録支援システムは、図１に示すように、病院情報システム処理装置１と、医師看護師用端末５と、移動端末１５とにより構成されている。病院情報システム処理装置１は、専用の設置室に配置され、医師看護師用端末５は診察室や病棟ナースセンターなど医療従事者が医療行為を行う場所に配置され、移動端末１５は病棟勤務の看護師が携帯している。
通信回線４は、院内におけるローカルエリアネットワークを構築し、病院情報システム処理装置１と、医師看護師用端末５と、無線通信装置１０とを接続するために用いられる。無線回線１４は、病棟における無線ローカルエリアネットワークを構築し、無線通信装置１０と移動端末１５とを接続するために用いられる。よって、移動端末１５は、通信回線４と無線回線１４を介して、病院情報システム処理装置１や医師看護師用端末５と相互に通信が可能である。
【００１４】
病院情報システム処理装置１には、注射指示情報ファイル２とインシデント情報ファイル３を記録したハードディスク等の記録媒体が接続されている。
また、病院情報システム処理装置１は、注射指示登録部１１と、注射指示送付部１２と、インシデント情報登録部１３とを備えている。
注射指示登録部１１は、医師看護師用端末５から送信される注射指示情報を注射指示情報ファイル２に登録する。
注射指示送付部１１は、医師看護師用端末５または移動端末１５から送信される注射指示情報要求に応答して注射指示情報要求に含まれる注射指示情報キーにより注射指示情報ファイル２を検索し、注射指示情報を注射指示情報ファイル２から読み出して医師看護師用端末５または移動端末１５に送信する。
インシデント情報登録部１２は、医師看護師用端末５または移動端末１５から送信されるインシデント情報をインシデント情報ファイル３に登録する。
【００１５】
医師看護師用端末５は、入力部６と、表示部７と、バーコードラベル印刷部８と、バーコード読取部９とを備えている。
入力部６は、キーボード、マウス等によって実現される。操作者は、入力部６を用いて注射指示受付部５０、注射指示送信部５１、注射指示取得部５２、注射指示表示部５３、データ変換部５４、インシデントレポート作成部５５（以下、図１の説明において「各部」と総称する）に各種の情報を入力することができる。
表示部７は、液晶モニタ等のディスプレイによって実現される。表示部７は各部の操作を行うために必要な情報や各部の処理結果等を表示する。
バーコードラベル印刷部８は、ラベルプリンタ、レーザープリンタ等によって実現される。バーコードラベル印刷部８は、データ変換部５４によりバーコード形式に変換されたバーコードラベルを印刷するための装置である。バーコードラベルは注射指示情報ファイル２に含まれる注射指示情報の注射指示情報キーと１対１に対応する。バーコードラベル印刷部８により印刷されたバーコードラベルを薬剤に貼付し、看護師が患者へ注射の施術を行う際、移動端末１５によってバーコードを読み取り、注射指示情報と照合することで指示漏れや薬剤誤りを検知する。なお、バーコードは、一次元バーコードに限らず二次元バーコードであってもよい。
バーコード読取部９は、バーコードスキャナやカメラ等で実現される。バーコード読取部９は、バーコードラベル印刷部８によって印刷されたバーコードを読み取るための手段である。
【００１６】
また、医師看護師用端末５は、注射指示受付部５０と、注射指示送信部５１と、注射指示取得部５２と、注射指示表示部５３と、データ変換部５４と、インシデントレポート作成部５５とを備えている。
注射指示受付部５０は、注射指示者が入力部５０を用いて入力した注射指示情報を受け付ける。注射指示送信部５１は、注射指示受付部５０によって受け付けられた注射指示情報を病院情報システム処理装置１に送信する。
注射指示取得部５２は、バーコード読取部９を用いてバーコードを読み取り、そのバーコードを注射指示情報キーに変換して注射指示情報キーを含む注射指示情報要求を病院情報システム処理装置１に送信し、病院情報システム処理装置１から注射指示情報を受信する。
注射指示表示部５３は、注射指示取得部５２によって受信された注射指示情報を表示部７に表示する。
データ変換部５４は、注射指示受付部５０によって受け付けられた注射指示情報に含まれる注射指示情報キーをバーコード形式に変換し、バーコードを表示するバーコードラベルを作成し、バーコードラベル印刷部８にそのバーコードラベルを印刷させる。
インシデント情報作成部５５は、後述するように、注射指示取得部５２によって受信された注射指示情報に対応する与薬インシデントに関する情報を受け付けてインシデントレポートを作成して病院情報システム処理装置１に送信する。
【００１７】
移動端末１５は、入力部１６と、表示部１７と、バーコード読取部１８とを備えている。なお、看護師が携帯することを想定する上で、移動端末１５の本体機能として入力部１６と表示部１７とバーコード読取部１８を備えていることで、より利便性を高めることができる。
入力部１６は、移動端末１５に付属するテンキーやタッチパネル等で実現される。操作者は、入力部１６を用いてインシデントレポート作成部１９に情報を入力することができる。
表示部１７は、移動端末１５に付属する液晶ディスプレイ等で実現される。表示部１７は、インシデントレポート作成操作を行うために必要な情報やインシデントレポート作成部１９の処理結果等を表示する。
バーコード読取部１８は、医師看護師用端末５と同様に、バーコードスキャナやカメラ等で実現される。バーコード読取部１８は、バーコードラベルからバーコードを読取るための手段である。
【００１８】
また、移動端末１５は、インシデントレポート作成部１９と、注射指示取得部２０と、注射指示表示部２１とを備えている。
インシデントレポート作成部５５は、医師看護師用端末５と同様に、注射指示取得部２０によって受信された注射指示情報に対応する与薬インシデントに関する情報を受け付けてインシデントレポートを作成して病院情報システム処理装置１に送信する。
注射指示取得部２０は、医師看護師用端末５と同様に、バーコード読取部１８を用いてバーコードを読み取り、そのバーコードを注射指示情報キーに変換して注射指示情報キーを含む注射指示情報要求を病院情報システム処理装置１に送信し、病院情報システム処理装置１から注射指示情報を受信する。
注射指示表示部２１は、医師看護師用端末５と同様に、注射指示取得部２０によって受信された注射指示情報を表示部１７に表示する。
【００１９】
図２は、注射指示情報ファイル２に格納される注射指示情報の構成の一例を示す。
注射指示情報は、患者番号２０１と、オーダ番号２０２と、注射手技通番２０３と、時間帯通番２０４と、注射手技２０５と、時間帯２０６と、薬品２１０と、数量２２０と、単位２３０と、投与速度２４０と、薬品コメント情報２５０とを含む。その内、患者番号２０１とオーダ番号２０２と注射手技通番２０３と時間帯通番２０４とを注射指示情報キー２００と総称する。
注射指示情報キー２００は、注射指示情報ファイル２に記録された複数の注射指示情報を一意に識別するためのキー項目である。即ち、注射指示情報ファイル２には、注射指示情報キー２００が異なる１以上の注射指示情報が記録されている。逆に、どの注射指示情報についても、注射指示情報キー２００が同一となる他のレコードは存在しない。なお、注射指示情報キー２００は本発明の注射指示識別情報の一例である。
患者番号２０１には、当該注射指示情報が対象としている診療行為がいずれの患者に対して行われたものかを示すため、当該患者の患者番号が設定される。なお、患者番号は、原則として１患者に対して１つだけ付与され、かつ患者ごとに異なっているものとする。
オーダ番号２０２には、患者番号２０１ごとに注射指示の通番が設定される。そのため、異なる患者番号２０１では同一のオーダ番号が存在する。
注射手技通番２０３には、オーダ番号２０２ごとに注射手技の通番が設定される。患者番号２０１またはオーダ番号２０２が異なれば、オーダ番号２０２は同一であってもよい。
時間帯通番２０４には、注射手技通番２０３ごとに時間帯の通番が設定される。時間帯通番２０４は注射指示の最小単位である。患者番号２０１とオーダ番号２０２と注射手技通番２０３のいずれかが異なれば時間帯通番２０４は同一であってもよい。
【００２０】
注射手技２０５には、当該注射指示に含まれる手技情報が設定される。注射手技２０５には、例えば、静脈内注射、中心静脈注射、皮下注射等が設定される。
時間帯２０６には、当該注射指示に含まれる時間帯情報が設定される。時間帯２０６には、例えば、１６：００、２３：００、朝食後、就寝前等が設定される。
薬品２１０と数量２２０と単位２３０には、当該注射指示情報が対象としている注射指示の薬品情報が設定される。具体的には、薬品２１０には薬品名や規格が設定される。数量２２０には薬品ごとの投与量が設定される。単位２３０には薬品ごとの単位（ｍｇ、ｇ、瓶、パック等）が設定される。
投与速度２４０には、２０ｍＬ／ｈ、１ｍｇ／ｈ、１００ｍＥｑ／ｈ等のように、薬品２１０を投与する際の投与速度が設定される。
薬品コメント情報２５０には、薬品２１０に対する任意の文字列情報が設定される。例えば薬品投与中の速度変更や残量に関する扱いなど、注射指示者が実施者に対するコメント登録に用いる。
【００２１】
図３は、バーコードラベル印刷部８によって印字されるバーコードラベルのデータの構成の一例を示す。
バーコードのデータは、患者番号３００と、オーダ番号３１０と、注射手技通番３２０と、時間帯通番３３０とを含む。バーコードラベルのデータは注射指示情報ファイル２の注射指示情報キー２００と同一の構成であり、注射指示情報とバーコードラベルは１対１に対応する。
【００２２】
図４は、移動端末１５の表示部１７に表示されるメニュー画面の表示の一例を示す。
メニュー画面には、バーコード読取りボタン４００と、終了ボタン４０１と、注射指示情報表示欄４０２と、サマリ入力ボタン４０３と、詳細入力ボタン４０４とが表示される。
操作者は移動端末１５の入力部１６を使用してバーコード読取りボタン４００と、終了ボタン４０１と、サマリ入力ボタン４０３と、詳細入力ボタン４０４とを選択する。これらのボタンの使用法については図５と図７を参照しながら後で説明する。
注射指示情報表示欄４０２には、病院情報システム処理装置１から受信した注射指示情報が表示される。
【００２３】
図５は、移動端末１５による注射指示情報表示処理の流れの一例を示すフローチャートである。
操作者が移動端末１５を起動させると、表示部１７に図４のメニュー画面が表示され（Ｓ５０１）、操作者からの操作を待つ。
操作者が終了ボタン４０１をクリックするなどの操作を行う（Ｓ５０２：ＹＥＳ）と、注射指示取得部２０は、メニュー画面を閉じ、処理を終了する。
操作者がバーコード読取りボタン４００をクリックするなどの操作を行うと（Ｓ５０３：ＹＥＳ）、注射指示取得部２０は、バーコード読取処理を起動し（Ｓ５０４）、バーコード読取部１８により、移動端末１５でバーコードスキャンが可能となる。
注射指示取得部２０は、バーコード読取部１８によりバーコードラベルのバーコードが読み取れたかどうかを判定し（Ｓ５０５）、読み取れた場合（Ｓ５０５：ＹＥＳ）は図３の患者番号３００、オーダ番号３１０、注射手技通番３２０、および時間帯通番３３０（注射指示情報キー）を含む注射指示情報要求を病院情報システム処理装置１に送信する（Ｓ５０６）。病院情報システム処理装置１の注射指示送付部１１は、移動端末１５から送信された注射指示情報要求に含まれる注射指示情報キーにより注射指示情報ファイル２を検索し、注射指示情報を注射指示情報ファイル２から読み出して移動端末１５に送信する。
注射指示表示部２１は、病院情報システム処理装置１から注射指示情報を受信できたかどうかを判定し（Ｓ５０８）、正常に受信できた場合（Ｓ５０８：ＹＥＳ）は図４の注射指示情報表示欄４０２に注射指示情報を表示し（Ｓ５０９）、ステップＳ５０２に戻る。
バーコード読取り判定（Ｓ５０５）にてエラーと判定された場合（Ｓ５０５：ＮＯ）、または注射指示情報を受信できなかった場合（Ｓ５０８：ＮＯ）、注射指示表示部２１はバーコード読取りエラーであることを表示する（Ｓ５０７）。
【００２４】
図６は、インシデント情報ファイル３に格納されるインシデント情報の構成の一例を示す。
インシデント情報は、インシデント管理番号６００と、患者番号６１１と、オーダ番号６１２と、発生年月日６１３と、時間帯６１４と、薬品６１５と、発生場所６２０と、患者氏名６３１と、性別６３２と、来院区分６３３と、心身状態６３４と、第一発見者６４０と、発生状況６５０と、障害度６６０とを含む。
インシデント管理番号６００は、インシデント情報を一意に識別するためのキー項目である。また、患者番号６１１と、オーダ番号６１２と、発生年月日６１３と、時間帯６１４と、薬品６１５とを注射指示情報６１０と総称する。患者番号６１１およびオーダ番号６１２には図３のバーコードラベルに含まれる患者番号３００およびオーダ番号３１０と同じ内容を設定する。注射指示情報６１０に図３の注射手技通番３２０と時間帯通番３３０を含んでいないのは、インシデントが１回の投与実施中に複数回発生する、もしくは１件の注射指示情報に同一手技が指示されるためである。
【００２５】
発生場所６２０にはインシデントの発生場所を示す情報を設定する。本システムは主に病棟での利用を想定しているが、外来や検査室等も含めることで将来的な拡張性を持たせている。
患者氏名６３１と、性別６３２と、来院区分６３３とは図示していない別のファイルに記録されている患者氏名と、性別と、入院時の来院区分とを参照し、設定するものである。心身状態６３４は、インシデント発生後の患者状態について設定する。また患者氏名６３１と、性別６３２と、来院区分６３３と、心身状態６３４とを患者情報６３０と総称する。
第一発見者６４０は、インシデントの発見者を示す情報として当事者本人、同職種者、患者本人、家族等を設定する。
発生状況６５０は、インシデントの発生状況、要因として過剰与薬、誤薬、処方量監査エラー等を設定する。
障害度６６０は、インシデントの発生状況に応じたレベル情報を設定する。例えば、レベル０は「誤った医療行為が実施される前に発見された」状況を示し、レベル１は「誤った医療行為が実施されたが障害はなかった」状況を示し、レベル２は「誤った医療行為が実施され、障害が発生した」状況を示す。
【００２６】
図７は、移動端末１５によるインシデントレポート入力処理の流れの一例を示すフローチャートである。
図７には、図５の注射指示情報表示処理にて、バーコードの読取りに成功して注射指示情報表示欄４０２に注射指示情報が表示され、ステップＳ５０２に戻ってからの処理を記載している。
移動端末１５の表示部１７はメニュー画面を表示し（Ｓ７０１）、操作者からの操作を待つ。メニュー画面の表示例は図４で先に説明した通りである。操作者が終了ボタン４０１をクリックするなどの操作を行う（Ｓ７０２：ＹＥＳ）と、メニュー画面を閉じ、処理を終了する。
操作者が図４のメニュー画面のサマリ入力ボタン４０３、詳細入力ボタン４０４をクリックするなどの操作を行うと、どちらのボタンをクリックされたかの判定処理を行う（Ｓ７０３、Ｓ７０４）。
サマリ入力ボタン４０３が選択された場合（Ｓ７０３：ＹＥＳ）、インシデントレポート作成部１９は、図８に示すインシデントサマリー入力画面を表示部１７に表示する（Ｓ７０５）。この時、図５のバーコード読取り結果に応じて、図８の注射指示情報欄に予め該当注射指示情報を表示させる。サマリ入力画面はより簡易に素早く入力することを目的とするため、図８のインシデントレポート（サマリ）入力欄はスクロールをさせず、インシデント入力に最低限必要な情報のみを表示する。
詳細入力ボタン４０４が選択された場合（Ｓ７０４：ＹＥＳ）、インシデントレポート作成部１９は、図９に示すインシデント詳細入力画面を表示する（Ｓ７０６）。同様に、図５のバーコード読取り結果に応じて、図９の注射指示情報欄に予め該当注射指示情報を表示させる。またインシデントの入力項目が増えるため、図９インシデントレポート（詳細）入力欄はスクロール表示可能とする。
【００２７】
インシデントレポート入力後、操作者が図８、図９の登録ボタンをクリックするなど操作を行わない場合（Ｓ７０７：ＮＯ）、インシデントレポート作成部１９は、ステップＳ７０１に戻り、ステップＳ５０９において注射指示情報を表示した直後の状態のメニュー画面に戻す。
インシデントレポート入力後、操作者が図８、図９の登録ボタンをクリックするなど操作を行う（Ｓ７０７：ＹＥＳ）と、インシデントレポート作成部１９は、病院情報システム処理端末１へインシデントレポートから抽出したインシデント情報を送信する（Ｓ７０８）。病院情報システム処理端末１のインシデント情報登録部１３は、受信したインシデント情報をインシデント情報ファイル３に格納する。
病院情報システム処理端末１のインシデント情報登録部１３がインシデント情報登録処理成功を返信してきた場合（Ｓ７０９：ＹＥＳ）、インシデントレポート作成部１９は、ステップＳ７０１に戻り、ステップＳ５０９において注射指示情報を表示した直後の状態のメニュー画面に戻す。
病院情報システム処理端末１のインシデント情報登録部１３がインシデント情報登録処理失敗を返信してきた場合（Ｓ７０９：ＮＯ）、インシデントレポート作成部１９は、ステップＳ７０７に戻り、登録ボタンが操作されるのを待つ。
【００２８】
なお、医師看護師用端末５の注射指示取得部５２と注射指示表示部５３とインシデントレポート作成部５５とは、それぞれ移動端末１５の注射指示取得部２０と注射指示表示部２１とインシデントレポート作成部１９と同一の機能を有しており、医師看護師用端末５を用いても、移動端末１５と同様に、注射指示情報表示処理（図５）とインシデント情報入力処理（図７）を行うことができる。
【００２９】
以上説明したように、本発明によれば、発生した与薬インシデントについてレポートを作成するにあたり、携帯端末にインシデントレポートの作成画面を表示させることにより、医療従事者がナースセンターや医務室に戻って固定端末から入力する煩わしさから解放し、発生現場で与薬インシデントの発生源入力を行えるようになる。
また、注射指示に紐付けたインシデントレポートを作成する機能を提供することにより、どの指示に対してのインシデントであるか医療従事者が考慮することなく、自動的に注射指示との関連性を持ったインシデントレポートを作成することができる。
更に、患者にとっては、医療従事者のインシデントレポートに割く時間を削減することで、患者と接する時間が相対的に増え、患者サービスの向上というメリットがある。
【符号の説明】
【００３０】
１…病院情報システム処理装置、２…注射指示情報ファイル、３…インシデント情報ファイル、４…通信回線、５…医師看護師用端末装置、８…バーコードラベル印刷部、９…バーコード読取部、１０…無線通信装置、１１…注射指示登録部、１２…注射指示送付部、１３…インシデント情報登録部、１４…無線回線、１５…移動端末、１８…バーコード読取部、１９…インシデントレポート作成部、２０…注射指示取得部、２１…注射指示表示部、５０…注射指示受付部、５１…注射指示送信部、５２…注射指示取得部、５３…注射指示表示部、５４…データ変換部、５５…インシデントレポート作成部
【図１】
2014197316.tif 000003
【図２】
2014197316.tif 000004
【図３】
2014197316.tif 000005
【図４】
2014197316.tif 000006
【図５】
2014197316.tif 000007
【図６】
2014197316.tif 000008
【図７】
2014197316.tif 000009
【図８】
2014197316.tif 000010
【図９】
2014197316.tif 000011